【手続補正書】
【提出日】平成24年1月22日(2012.1.22)
【手続補正１】
【補正対象書類名】特許請求の範囲
【補正対象項目名】全文
【補正方法】変更
【補正の内容】
【特許請求の範囲】
【請求項１】
石炭燃焼パワープラントに由来する二酸化炭素ガスを除去し、該二酸化炭素を保存する方法であって、次の
二酸化炭素ガスを石炭から、プレ燃焼分離プロセスを使用して、そして／またはポスト燃焼分離プロセスを使用して分離すること、
空気を圧縮するために、少なくとも１種のコンプレッサーを、および圧縮された空気を放出するために、少なくとも１種のエキスパンダーを使用して、スーパーチルドエアーを生産することであり、スーパーチルドエアーはそれによって副産物として生産され、
二酸化炭素ガスおよびスーパーチルドエアーを結晶化チャンバーに導入すること、そして前記チャンバー内で冷凍された二酸化炭素の結晶を生成するために、二酸化炭素ガスをスーパーチルドエアーと混合すること、
残りのスーパーチルドエアーを、前記チャンバーの外に、前記チャンバーでのサイドダクトを通して出すこと、そして二酸化炭素の結晶を、前記チャンバーの底部に落下させること、ここで該結晶は互いに凝集することが許容される、
凝集された結晶を前記チャンバーの底部でポータルを通して移動させ、そしてそれらをコンベヤー上に降下させること、および
該コンベヤー上に凝集した結晶のドライアイスのブロックを形成し、ブロックを、それらが用いられうる場所へ輸送すること、
を含む、方法。
【請求項２】
前記分離プロセスは、次の、石炭ガス化プロセス、膜プロセス、または溶液プロセスとの接触のうちの少なくとも１種を含む、請求項１の方法。
【請求項３】
二酸化炭素ガスは、上から前記チャンバー中に導入され、およびスーパーチルドエアーは、それがガスに対して上方向に流れるように前記チャンバー中に導入される、請求項１または２の方法。
【請求項４】
二酸化炭素ガスは、上から前記チャンバー中に導入され、およびスーパーチルドエアーは、それがガスと同じ方向に流れるように前記チャンバー中に導入される、請求項１、２、または３の方法。
【請求項５】
さらに、冷却を、ＨＶＡＣ、冷蔵、脱塩に提供するために、および／または燃料駆動された発電設備のための吸気量として、前記チャンバーから取り出されたスーパーチルドエアーを使用することを含む、請求項１、２、３、または４の方法。
【請求項６】
方法は、前記チャンバーの底部で収集される凝集された二酸化炭素の結晶を、前記ポータルを通して押し進めるためにスクリューを使用することを含む、請求項１、２、３、４、または５の方法。
【請求項７】
前記コンベヤーは、凝集された結晶を使用してドライアイスのブロックを形成し、そして分離するのを助ける柔軟なフレームをもつ、請求項１、２、３、４、５、または６の方法。
【請求項８】
方法は、次の
１）方法によって生成されるスーパーチルドエアーの一部分を、比較的冷たい空気を形成するためにインダクターにおいて周囲空気と混合すること、そして冷たい空気を、より一層効率的に追加の電気を生成するためにガスタービン発電設備中に供給すること、または
２）前記コンプレッサーおよび／またはエキスパンダーと併せて少なくとも１種の熱交換器を使用すること、およびそれから由来する温かい温度および／または冷たい温度を、蒸気タービン発電機または吸収式冷凍機のような補助装置において使用すること
の追加的な省エネルギープロセスのうちの少なくとも１種を含む、請求項１、２、３、４、５、６、または７の方法。
【請求項９】
石炭燃焼パワープラントに由来する二酸化炭素ガスを除去し、保存するための機器であって、次の
二酸化炭素ガスを、前記パワープラントにおいて用いられる石炭、および／または前記パワープラントのフルー排出から分離するための分離装置、
圧縮された空気を生成するために、少なくとも１種のコンプレッサー、および圧縮された空気を放出するために、少なくとも１種のエキスパンダーであり、スーパーチルドエアーはそれによって副産物として生産されるもの、
結晶化チャンバーであり、その中に二酸化炭素ガスおよびスーパーチルドエアーが導入され、および前記チャンバーの底部に落下し、そこで凝集することができる冷凍された二酸化炭素の結晶を生成するために混合されうるもの、
サイドダクトであり、それを通して残りのスーパーチルドエアーは、前記チャンバーから出ることができるもの、
凝集された二酸化炭素結晶を前記チャンバーの底部でポータルを通して移動させるための装置、および
前記ポータルの下のコンベヤーであり、その上で、一緒に凝集された結晶を降下させることができ、前記コンベヤーは、凝集された結晶がその上でドライアイスのブロックを形成することが可能になるように適合されるもの
を含む機器。
【請求項１０】
前記チャンバーは、複数の開口をもち、それらを通してスーパーチルドエアーおよび二酸化炭素ガスは前記チャンバー中に導入することができ、二酸化炭素ガスは上から前記チャンバー中に導入され、そしてスーパーチルドエアーは、それが二酸化炭素ガスと混合するように前記チャンバー中に導入される、請求項９の機器。
【請求項１１】
前記チャンバーの底部で、前記ポータルを通して、凝集された二酸化炭素の結晶を推し進めるために、スクリューが設けられる、請求項９または１０の機器。
【請求項１２】
前記コンベヤーは、凝集された結晶を使用してドライアイスのブロックを形成し、および分離するのを助ける柔軟なフレームをもつ、請求項９，１０または１１の機器。
【請求項１３】
さらに、次の
１）より一層効率的に追加の電気を生成するためにガスタービン発電設備であり、前記発電設備は、スーパーチルドエアーの一部分を、比較的冷たい空気を形成するために、それをインダクター中に導入すること、および冷たい空気を前記発電設備中に供給することによって用いるもの、または
２）蒸気タービン発電機または吸収式冷凍機であり、前記コンプレッサーおよび／または前記エキスパンダーと併せて設けられる少なくとも１種の熱交換器から由来する温かい温度および／または冷たい温度を用いるもの
の追加的な省エネルギーシステムのうちの少なくとも１種を含む、請求項９、１０、１１または１２の機器。
【手続補正２】
【補正対象書類名】明細書
【補正対象項目名】０１２０
【補正方法】変更
【補正の内容】
【０１２０】
圧縮機および各々のセットのＴ／Ｔによって要求されるキロワットを引き出すために、あるものは、単位マス（質量）（ＢＴＵ／＃）あたりのエンタルピーの違いによってＢＴＵ／秒またはｋＷ評定を引き出すために１秒につきポンド（＃／ｓｅｃ）で要求される気流を増やすことだけが必要である。
本発明はその実施態様として以下を包含する。
第１項：  石炭燃焼パワープラントに由来する二酸化炭素ガスを除去する方法であって、次の
二酸化炭素ガスを、前記パワープラントにおいて用いられる石炭から、および／または前記パワープラントのフルー排出から分離するためにプロセスを使用すること、
圧縮された空気を生成するために、少なくとも１種のコンプレッサーを、および圧縮された空気を放出するために、少なくとも１種のエキスパンダーを使用することであり、スーパーチルドエアーはそれによって副産物として生産され、
二酸化炭素ガスを、スーパーチルドエアーと、凍結された二酸化炭素の結晶を生成するために、チャンバーにおいて混合すること、および
二酸化炭素の結晶を、ドライアイスとして輸送し、および／または他の使用のために保存することができるアイスブロックを形成させるのを許容すること
を含む、方法。
第２項：  混合ステップはさらに、二酸化炭素ガスを前記チャンバー中に注入すること、そしてスーパーチルドエアーを複数の開口を通して前記チャンバー中に注入することを含み、二酸化炭素ガスは、デッドエアゾーンにおいて結晶化し、そして凝集し始め、スーパーチルドエアーは結晶を形成するために二酸化炭素ガスと混合されるのを許容され、前記チャンバーにおける空気は、前記チャンバーの側面に沿って延在するサイドダクトを通して方向付けられ、残りのチルドエアーは、ＨＶＡＣ、冷蔵、燃料駆動された発電設備への吸気量および／または脱塩に提供するために用いることができる、第１項の方法。
第３項：  方法は、前記チャンバーの底部で収集される凝集された二酸化炭素の結晶を、ポータルを通して押し進めるためにスクリューを使用すること、そして凝集された結晶はアイスブロックを形成するのが助けられる柔軟なフレームを有するコンベヤーシステム上に落下するのを許容されること含む、第２項の方法。
第４項：  二酸化炭素の結晶の温度は、それらが前記チャンバー内で凝集し、そしてアイスブロックが輸送され、および／または保存されるように、マイナス１０９．３度Ｆに等しく、またはそれ未満でとどまるのを確実にされることを含む、第３項の方法。
第５項：  方法は、方法によって生成されるスーパーチルドエアーの一部分を、より一層効率的に追加の電気を生成するためにガスタービン発電設備中に供給することができる比較的冷たい空気を形成するために、インダクターにおいて周囲空気と混合することを含む、第１項の方法。
第６項：  ターボコンプレッサーおよびターボエキスパンダーを、スーパーチルドエアーを生成するために用い、およびクーラントを有する少なくとも１種の熱交換器を前記装置に関連して設け、方法は、追加の電気を生成させるために蒸気タービン発電設備において、または吸収式冷凍機において前記熱交換器からの加熱されたクーラントを用いることを含む、第１項の方法。
第７項：  混合ステップはさらに、スーパーチルドエアーを、前記チャンバーにおいて複数の開口を通して注入すること、およびスーパーチルドエアーを、二酸化炭素ガスが下向きに注入されるように、上方または下方に方向付けられることを含み、二酸化炭素ガスはデッドエアゾーンにおいて結晶化し、そして凝集し始める、第１項の方法。
第８項：  石炭燃焼パワープラントからの二酸化炭素ガスを除去するためのシステムであって、次の
二酸化炭素ガスを、前記パワープラントにおいて用いられる石炭、および／または前記パワープラントからのフルー排出より分離するシステム、
圧縮された空気を生成するために、少なくとも１種のコンプレッサー、および圧縮された空気を放出するために、少なくとも１種のエキスパンダーであり、スーパーチルドエアーは副産物として生産されるもの、
二酸化炭素ガスを、スーパーチルドエアーと、凍結された二酸化炭素の結晶を生成するための混合用の混合チャンバー、および
二酸化炭素の結晶を、凝集し、そしてドライアイスとして輸送し、および／または他の使用のために保存することができるアイスブロックを形成させるのを許容するための機器を含む、システム。
第９項：  前記チャンバーは、二酸化炭素ガスおよびスーパーチルドエアーが前記チャンバー中に注入されるのを許容し、二酸化炭素ガスは、デッドエアゾーンにおいて結晶化し、そして凝集するように許容され、スーパーチルドエアーが二酸化炭素ガスと混合されるのを許容された後、前記チャンバーにおける空気は、前記チャンバーの側面に沿って延在するサイドダクトを通して方向付けられ、残りのチルドエアーは、ＨＶＡＣ、冷蔵、燃料駆動された発電設備への吸気量および／または脱塩に提供するために用いることができる、第８項のシステム。
第１０項：  前記チャンバーの底部で収集される凝集された二酸化炭素の結晶を、ポータルを通して押し進めるために、そして凝集された結晶が、アイスブロックを形成するのが助けられる柔軟なフレームを有するコンベヤーシステム上に落下するのを許容するためにスクリューが設けられる、第９項のシステム。
第１１項：  二酸化炭素の結晶の温度は、それらが前記チャンバー内で凝集するように、マイナス１０９．３度Ｆに等しく、またはそれ未満でとどまるのを確実にされることを含む、第３項の方法。
第１２項：  コンプレッサーおよびエキスパンダーには、スーパーチルドエアーを生成するために用いるターボコンプレッサーおよびターボエキスパンダー装置が含まれ、およびクーラントを有する少なくとも１種の熱交換器が前記装置に関連して設けられ、追加の電気をより一層効率的に生成させるために蒸気タービン発電設備において、または吸収式冷凍機において前記熱交換器からの加熱されたクーラントが用いられる、第８項のシステム。
第１３項：  インダクターが設けられ、システムによって生成されるスーパーチルドエアーの一部分が、より一層効率的に追加の電気を生成するのにガスタービン発電設備中に供給することができる比較的冷たい空気を形成するために、周囲空気と混合される、第８項のシステム。
第１４項：  石炭燃焼パワープラントからの二酸化炭素ガスを除去するための機器であって、次の
二酸化炭素ガスを、前記パワープラントにおいて用いられる石炭、および／または前記パワープラントからのフルー排出より分離する装置、
圧縮された空気を生成するために、少なくとも１種のコンプレッサー、および圧縮された空気を放出するために、少なくとも１種のエキスパンダーであり、スーパーチルドエアーは副産物として生産されるもの、
二酸化炭素ガスを、スーパーチルドエアーと、凍結された二酸化炭素の結晶を生成するための混合用の混合チャンバー、および
二酸化炭素の結晶を、凝集し、そしてドライアイスとして輸送し、および／または他の使用のために保存することができるアイスブロックを形成させるのを許容するための器具を含む、機器。
第１５項：  前記チャンバーは、二酸化炭素ガスおよびスーパーチルドエアーが前記チャンバー中に注入されるのを許容し、二酸化炭素ガスは、デッドエアゾーンにおいて結晶化し、そして凝集するように許容される、第１４項の機器。
第１６項：  スーパーチルドエアーが二酸化炭素ガスと混合されるのを許容された後、前記チャンバーにおける空気は、前記チャンバーの側面に沿って延在するサイドダクトを通して方向付けられ、残りのチルドエアーは、ＨＶＡＣ、冷蔵、燃料駆動された発電設備への吸気量および／または脱塩に提供するために用いることができる、第１５項の機器。
第１７項：  前記チャンバーの底部で収集される凝集された二酸化炭素の結晶を、ポータルを通して押し進めるために、そして凝集された結晶が、アイスブロックを形成するのが助けられる柔軟なフレームを有するコンベヤーシステム上に落下するのを許容するためにスクリューが設けられる、第１６項の機器。
第１８項：  コンプレッサーおよびエキスパンダーには、スーパーチルドエアーを生成するために用いるターボコンプレッサーおよびターボエキスパンダー装置が含まれ、およびクーラントを有する少なくとも１種の熱交換器が前記装置に関連して設けられ、追加の電気をより一層効率的に生成させるために蒸気タービン発電設備において、または吸収式冷凍機において前記熱交換器からの加熱されたクーラントが用いられる、第１４項の機器。
第１９項：  インダクターが設けられ、システムによって生成されるスーパーチルドエアーの一部分が、より一層効率的に追加の電気を生成するのにガスタービン発電設備中に供給することができる比較的冷たい空気を形成するために、周囲空気と混合される、第１４項の機器。